(57)【特許請求の範囲】
【請求項１】
全体を制御する制御装置部と、貯湯タンクと、前記貯湯タンク内の水を加熱するヒータと、前記貯湯タンク内の湯と水源から供給される水とを混合し浴槽へ供給するお湯はり混合弁と、前記貯湯タンク内の湯と水源から供給される水とを混合し給湯口へ供給する給湯混合弁と、を備え、少なくとも前記給湯混合弁は前記給湯温度が予め設定された給湯温度設定になるように給湯温度をフィードバックして湯の流入側と水の流入側の各々の弁体の位置が制御される電気温水器であって、
前記制御装置部が、
前記給湯中に前記浴槽への湯の供給（以下、お湯はりという）の開始及び終了を判定するお湯はり開始・終了判定手段と、
前記お湯はりの開始時の前記給湯混合弁の弁体の位置を判定しメモリに記憶する給湯混合弁位置判定手段と、
前記お湯はりの終了時に前記給湯混合弁の弁体の位置を前記メモリに記憶した前記お湯はりの開始時の弁体の位置に戻す給湯混合弁動作手段と、
を備えていることを特徴とする電気温水器。
【請求項２】
前記お湯はり混合弁から前記浴槽への経路に配設されたお湯はり電磁弁と、前記お湯はり電磁弁を開閉させるお湯はり電磁弁動作手段と、前記お湯はり電磁弁の開閉を判定するお湯はり電磁弁動作判定手段と、を有し、
前記お湯はり開始・終了判定手段による前記お湯はりの開始又は終了の判定は、前記お湯はり電磁弁動作判定手段による前記お湯はり電磁弁の開閉の判定に基づいて判定されることを特徴とする請求項１に記載の電気温水器。
【請求項３】
前記制御装置部が、浴室用設定部により設定されたお湯はり温度設定を判定するお湯はり温度設定判定手段と、給湯用設定部により設定された給湯温度設定を判定する給湯温度設定判定手段と、を有し、
前記給湯中の前記お湯はりの開始時において、前記お湯はり温度設定判定手段により判定された前記お湯はり温度設定が、所定の温度より高い湯が供給される高温差し湯である場合は、前記給湯温度設定判定手段により判定された前記給湯温度設定に基づいて前記給湯混合弁の弁体の位置を予め設定されたオフセット量変動させることを特徴とする請求項１又は２に記載の電気温水器。
【発明の詳細な説明】
【０００１】
【発明の属する技術分野】
本発明は、浴槽及び給湯口に同時に湯を供給することができる電気温水器に関し、特に給湯口への給湯中に浴槽へのお湯はりを開始した場合に給湯口への給湯の給湯温度の変動を緩やかにすることができる電気温水器に関するものである。
【０００２】
【従来の技術】
図１は従来の電気温水器を示す構成図である。
図１において、１ａは従来の電気温水器、２は水または湯を貯める貯湯タンク、３ａ、３ｂは貯湯タンク２に配設され貯湯タンク２内の水を加熱するヒータ、４は貯湯タンク２内の水又は湯の温度を検出する缶体温度センサ、５は加熱により体積膨張した湯を逃がすための逃し弁、５ａは空気抜き弁、６ａは後述の浴槽Ｘに供給する湯を適温にするためのお湯はり混合弁、６ｂは後述の蛇口Ｚに供給する湯を適温にするための給湯混合弁、７ａはお湯はり混合弁６ａにフィードバックをかけるためのお湯はり温度を検出するふろ温度センサ、７ｂは給湯混合弁６ｂにフィードバックをかけるため給湯温度を検出する給湯温度センサ、８は浴槽Ｘに接続されるふろ配管口、９はお湯はり混合弁６ａから浴槽への給湯回路を開閉するお湯はり電磁弁、１０は浴槽Ｘへの湯の供給量を測定するふろ流量センサ、１１は蛇口Ｚが開かれたか否かを検出する給湯用フローセンサ、１２は蛇口Ｚが接続される給湯口、１３は貯湯タンク２及びお湯はり混合弁６ａ、給湯混合弁６ｂに水源からの水を供給する給水口、１４は水源から給水される水の圧力を減圧する減圧弁、１６は貯湯タンク２の排水を行う排水栓、２１は全体の制御を行う制御装置部、２２は給湯温度設定を行う給湯用設定部、２３はお湯はり温度設定を行う浴室用設定部、Ｘは浴槽、Ｙは浴槽Ｘ内への湯の吐出口に配設された浴槽アダプタ、Ｚは給湯口１２から湯が供給される蛇口である。
【０００３】
以上のように構成された従来の電気温水器について、その動作を図を用いて説明する。なお、給湯口１２は単一の蛇口Ｚに限らず複数の蛇口に接続されてもよい。
【０００４】
まず、水源から給水口１３を介して給水された水は減圧弁１４により減圧され貯湯タンク２に流れ込む。ヒータ３ａ、３ｂに通電されると貯湯タンク２内の水が加熱される。貯湯タンク２内の湯の温度は給湯用設定部２２等で予め設定されており、この設定された温度（例えば９０℃）を缶体温度センサ４が検出すると、制御装置部２１はヒータ３ａ、３ｂへの通電を停止させる。ヒータ３ａ、３ｂにより加熱している際に貯湯タンク２内の水が膨張した場合、この膨張した水は逃し弁５から排水される。
【０００５】
蛇口Ｚから給湯される湯の給湯温度は、予め給湯用設定部２２で設定されている。台所等の蛇口Ｚを開くと、制御装置部２１は設定されている給湯温度設定に基づいた給湯温度となるように給湯混合弁６ｂの弁体の位置を制御し、貯湯タンク２内の湯と給水口１３から供給される水とを適温になるように混合するとともに、給湯温度センサ７ｂから入力される値に基づき給湯混合弁６ｂにフィードバックをかける。
【０００６】
浴槽Ｘへのお湯はり温度は、予め浴室用設定部２３で設定される。浴室用設定部２３により設定されるお湯はり温度設定としては、高温の湯を差し湯する高温差し湯動作設定、適温の湯を足し湯する足し湯動作設定、低温の湯を差し湯する低温差し湯動作設定等がある。この設定に基づく浴槽Ｘへの給湯動作としては、高温差し湯動作、足し湯動作、低温差し湯動作の３つのパターンがある。
【０００７】
浴槽Ｘ内のお湯の温度を上げたい場合は、高温差し湯動作を行う。高温差し湯動作を行うには、まず浴室用設定部２３で高温差し湯スイッチを押す。これにより、高温差し湯の指令が制御装置部２１に入力され、ふろ温度センサ７ａの検出温度が高温（例えば６０℃）になるようにお湯はり混合弁６ａを制御するとともに、お湯はり電磁弁９を開いて浴槽Ｘへの高温差し湯動作を開始させる。浴槽Ｘへの高温差し湯開始後、ふろ流量センサ１０により、積算流量をカウントし、一定量（例えば２０Ｌ）に到達すると、お湯はり電磁弁９を閉じ高温差し湯動作を完了する。
【０００８】
浴槽Ｘ内のお湯の量を増やしたい場合は、足し湯を行う。足し湯動作は、まず浴室用設定部２３で、足し湯スイッチを押す。これにより足し湯の指令が制御装置部２１に入力される。制御装置部２１は、ふろ温度センサ７ａの検出温度が浴室用設定部２３で設定されている浴槽湯温となるようにお湯はり混合弁６ａを制御するとともに、お湯はり電磁弁９を開いて浴槽Ｘへの足し湯を開始させる。浴槽Ｘへの足し湯開始後、ふろ流量センサ１０により、積算流量をカウントし、一定量（例えば２０Ｌ）に到達すると、お湯はり電磁弁９を閉じ足し湯を完了する。
【０００９】
低温差し湯を行うには、まず浴室用設定部２３で、低温差し湯スイッチを押す。これにより低温差し湯の指令が出力され、制御装置部２１が、お湯はり混合弁６ａを制御するとともに、お湯はり電磁弁９を開いて浴槽Ｘへの低温差し湯を開始させる。浴槽Ｘへの低温差し湯開始後、ふろ流量センサ１０により、積算流量をカウントし、一定量（例えば２０Ｌ）に到達すると、お湯はり電磁弁９を閉じ低温差し湯動作を完了する。
【００１０】
ここで、給湯温度設定が例えば４０℃に設定された蛇口Ｚから給湯中に、浴槽Ｘへ例えば高温差し湯が開始された場合、湯を浴槽Ｘに供給する浴槽給湯配管と、湯を蛇口Ｚに供給する蛇口給湯配管のそれぞれに独立させてお湯はり混合弁６ａと給湯混合弁６ｂを設けているので、制御装置部２１が、浴槽Ｘへの高温差し湯を継続させたまま、設定されている温度（４０℃）となるように給湯混合弁６ｂを制御し、貯湯タンク２内の湯と水を適温に混合するとともに、給湯温度センサ７ｂが検出した温度に基づき給湯混合弁６ｂにフィードバックをかける。このように、従来の電気温水器は、異なる温度設定に設定された蛇口Ｚへの給湯と浴槽Ｘへのお湯はりが同時に行われても、浴槽のお湯はりを一時的に待機させる必要がなく継続してお湯はりを行っていた。
【００１１】
【発明が解決しようとする課題】
しかしながら上記従来の電気温水器では、以下のような課題を有していた。
（１）給湯温度設定が例えば４０℃に設定された蛇口Ｚから給湯中に、浴槽Ｘへ例えば高温差し湯が開始された場合、高温差し湯の開始時に一時的にお湯はり側に流れ込む湯量を取られるため給湯側に流れ込む湯量が弁の開度に関わらず減少し給湯温度が一時的に下がる。給湯混合弁９には給湯温度センサ７ｂが検出した温度に基づきフィードバックをかけているため、前述した給湯温度の低下により給湯混合弁６ｂの湯側の弁体が大きく開く。これにより、一度低下した給湯温度は、高温差し湯開始前よりも大きく上昇する。このように、蛇口Ｚからの給湯温度が乱れ、安定せず使用性に欠けるという課題を有していた。
（２）また、給湯温度設定が例えば４０℃に設定された蛇口Ｚから給湯と浴槽Ｘへの例えば高温差し湯とが同時に行われている際に高温差し湯が終了した場合も、同様の理由により蛇口Ｚからの給湯温度が乱れ、安定せず使用性に欠けるという課題を有していた。
【００１２】
本発明は上記従来の課題を解決するもので、給湯中にお湯はりが開始された又は終了した場合であっても、給湯混合弁の湯の流入側と水の流入側の各々の弁体の位置を設定されたオフセット量ずらすことができると共に、給湯温度に基づきフィードバックをかけて給湯混合弁の弁体の位置を制御し給湯側の給湯温度の変動を緩やかにすることができる電気温水器を提供することを目的とする。
【００１３】
【課題を解決するための手段】
上記課題を解決するために本発明の電気温水器は、以下の構成を有している。
【００１４】
本発明の請求項１に記載の電気温水器は、全体を制御する制御装置部と、貯湯タンクと、前記貯湯タンク内の水を加熱するヒータと、前記貯湯タンク内の湯と水源から供給される水とを混合し浴槽へ供給するお湯はり混合弁と、前記貯湯タンク内の湯と水源から供給される水とを混合し給湯口へ供給する給湯混合弁と、を備え、少なくとも前記給湯混合弁は前記給湯温度が予め設定された給湯温度設定になるように給湯温度をフィードバックして湯の流入側と水の流入側の各々の弁体の位置が制御される電気温水器であって、前記制御装置部が、前記給湯中に前記浴槽への湯の供給（以下、お湯はりという）の開始及び終了を判定するお湯はり開始・終了判定手段と、前記お湯はりの開始時の前記給湯混合弁の弁体の位置を判定しメモリに記憶する給湯混合弁位置判定手段と、前記お湯はりの終了時に前記給湯混合弁の弁体の位置を前記メモリに記憶した前記お湯はりの開始時の弁体の位置に戻す給湯混合弁動作手段と、を備えた構成を有している。
【００１５】
この構成により、以下のような作用を有する。
（１）お湯はり開始・終了判定手段により給湯中にお湯はりが開始されたことを判定し、給湯混合弁位置判定手段によりお湯はりの開始時の給湯混合弁の湯の流入側と水の流入側の各々の弁体の位置を判定しメモリに記憶し、お湯はり開始・終了判定手段により給湯中にお湯はりが終了したことを判定した場合に、給湯混合弁の弁体の位置をメモリに記憶したお湯はりの開始時の弁体の位置に戻すことができるので、給湯中のお湯はりの終了による給湯温度の急激な変動を緩和しその変動を緩やかにすることができる。
【００１６】
請求項２に記載の電気温水器は、請求項１に記載の発明において、前記お湯はり混合弁から前記浴槽への経路に配設されたお湯はり電磁弁と、前記お湯はり電磁弁を開閉させるお湯はり電磁弁動作手段と、前記お湯はり電磁弁の開閉を判定するお湯はり電磁弁動作判定手段と、を有し、前記お湯はり開始・終了判定手段による前記お湯はりの開始又は終了の判定は、前記お湯はり電磁弁動作判定手段による前記お湯はり電磁弁の開閉の判定に基づいて判定される構成を有している。
【００１７】
この構成により、請求項１の作用に加え、以下のような作用を有する。
（１）お湯はり電磁弁動作判定手段によるお湯はり電磁弁の開閉の判定に基づいて、お湯はり開始・終了判定手段によりお湯はりの開始又は終了を判定することができる。
【００１８】
請求項３に記載の電気温水器は、請求項１又は２に記載の発明において、前記制御装置部が、浴室用設定部により設定されたお湯はり温度設定を判定するお湯はり温度設定判定手段と、給湯用設定部により設定された給湯温度設定を判定する給湯温度設定判定手段と、を有し、前記給湯中の前記お湯はりの開始時において、前記お湯はり温度設定判定手段により判定された前記お湯はり温度設定が、所定の温度より高い湯が供給される高温差し湯である場合は、前記給湯温度設定判定手段により判定された前記給湯温度設定に基づいて前記給湯混合弁の弁体の位置を予め設定されたオフセット量変動させる構成を有している。
【００１９】
この構成により、請求項１又は２の作用に加え、以下のような作用を有する。
（１）給湯中のお湯はりの開始時において、お湯はり温度設定判定手段により判定されたお湯はり温度設定が高温差し湯である場合に、給湯温度設定判定手段により判定された給湯温度設定に基づいて給湯混合弁の弁体の位置をオフセット量変動させてフィードバック制御を行うことができるので、給湯中のお湯はりの開始による給湯温度の急激な変動を緩和しその変動を緩やかにすることができる。
【００２０】
【発明の実施の形態】
以下、本発明の一実施の形態について、図を用いて説明する。
（実施の形態１）
図２（ａ）は本実施の形態１における電気温水器のブロック図であり、図２（ｂ）は中央処理装置を示すブロック図である。なお、本実施の形態１における電気温水器の全体構成は従来の技術で示した図１と同様である。
【００２１】
図２（ａ）において、３はヒータ、４は缶体温度センサ、６ａはお湯はり混合弁、６ｂは給湯混合弁、７ａはふろ温度センサ、７ｂは給湯温度センサ、９はお湯はり電磁弁、１０はふろ流量センサ、１１は給湯用フローセンサ、２１は制御装置部、２２は給湯用設定部、２３は浴室用設定部であり、これらは図１において説明したものと同様であるので同一の符号を付けて説明を省略する。
３１は制御装置部２１のマイコン、３２は中央処理装置、３３はメモリ、３４は入力回路、３５は出力回路、３６はＡ／Ｄ変換器、３７〜４０は駆動回路である。
図２（ｂ）において、５１は給湯温度センサ７ｂからの信号に基づいて給湯温度を判定する給湯温度判定手段、５２は給湯用設定部２２の設定に基づいて給湯温度設定を判定する給湯温度設定判定手段である。本実施の形態１においては、給湯温度設定は３７℃〜５０℃までは１℃刻みで設定可能であり、それ以上は５℃刻み、即ち５５℃と６０℃に設定可能である。また、給湯用設定部２２における給湯温度設定は、設定値に上限値（この場合は６０℃）を設けることが好ましい。これにより、誤操作等により高温の湯が出湯することによる火傷等を防止することができる。
５３は給湯混合弁６ｂの湯の吐出側と水の吐出側の各々の弁体の位置を判定する給湯混合弁位置判定手段、５４は給湯混合弁６ｂを動作させる給湯混合弁動作手段、５５はお湯はり電磁弁９の開閉を行うお湯はり電磁弁動作手段、５６はお湯はり電磁弁９の開閉を判定するお湯はり電磁弁動作判定手段、５７はふろ温度センサ７ａからの信号に基づいてお湯はり温度を判定するお湯はり温度判定手段、５８は浴室用設定部２３の設定に基づいてお湯はり温度設定を判定するお湯はり温度設定判定手段である。本実施の形態１においては、お湯はり温度設定としては、高温の湯を差し湯する高温差し湯動作、適温の湯を足し湯する足し湯動作、低温の湯を差し湯する低温差し湯動作がある。
５９はお湯はり混合弁６ａを動作させるお湯はり混合弁動作手段、６０はお湯はりの開始及び終了を判定するお湯はり開始・終了判定手段である。本実施の形態１においては、お湯はり開始・終了判定手段６０はお湯はり電磁弁動作判定手段５６の判定に基づいてお湯はりの開始及び終了を判定する。
【００２２】
以上のように構成された本実施の形態１における電気温水器１について、以下その動作を図を用いて説明する。
図３は本実施の形態１における電気温水器の給湯時の動作を示すフローチャートである。
【００２３】
まず、図１に示す蛇口Ｚが開かれ給湯が開始される。次に、図３において、お湯はり開始・終了判定手段６０はお湯はりが開始されたか否かを判定する（Ｓ１）。お湯はりが開始されたと判定された場合は、給湯混合弁位置判定手段５３は給湯混合弁６ｂの弁体の位置を判定する。判定された弁体の位置はメモリ３３に記憶される（Ｓ２）。続いて、お湯はり温度設定判定手段５８は浴室用設定部２３により設定されたお湯はり温度設定が高温差し湯であるか否かを判定する（Ｓ３）。お湯はり温度設定が高温差し湯であると判定された場合は、給湯温度設定判定手段５２により判定された給湯温度設定に基づいて給湯混合弁６ｂの弁体の位置を予め設定されたオフセット量の大きさだけ変動させる（Ｓ４）。
【００２４】
図４は給湯温度設定と給湯混合弁の弁体の位置との関係を示す関係図である。なお、図４においては、給湯のみが行われている場合と給湯とお湯はりが同時に行われている場合の各々について、給湯温度設定と給湯混合弁の弁体の位置との関係を示している。
図４に示すように、給湯とお湯はりが同時に行われる場合の給湯混合弁の弁体の位置は、給湯のみが行われる場合の弁体の位置からオフセット量だけずれた位置になる。なお、給湯用設定部２２による給湯温度設定が３７℃〜５０℃である場合は、給湯混合弁６ｂの弁体の位置のオフセット量はＡに設定される。給湯用設定部２２による給湯温度設定が５５℃又は６０℃である場合は、給湯混合弁６ｂの弁体の位置のオフセット量はＢに設定される。
【００２５】
続いて、図３において、給湯混合弁６ｂは、給湯温度が給湯用設定部２２で設定された給湯温度設定になるように給湯温度センサ７ｂにより検出された給湯温度をフィードバックして弁体の位置を制御する（Ｓ５）。次に、お湯はり開始・終了判定手段６０はお湯はりが終了したか否かを判定する（Ｓ６）。お湯はりが終了したと判定された場合は、給湯混合弁動作手段５４は、Ｓ２においてメモリ３３に記憶したお湯はり開始時の給湯混合弁６ｂの弁体の位置に給湯混合弁６ｂの弁体の位置を戻し（Ｓ７）、その弁体の位置を基準として、給湯温度が給湯用設定部で設定された給湯温度設定になるように給湯温度センサ７ｂにより検出された給湯温度をフィードバックして弁体の位置を制御する（Ｓ８）。Ｓ６において、お湯はりが終了していないと判定された場合は、Ｓ５のフィードバック制御を継続する。
【００２６】
図５は、本実施の形態１における電気温水器の動作を示すタイミングチャートである。
図５において、７１は給湯用フローセンサ１１の水流の検出、非検出を示し、７２はお湯はり電磁弁９の開閉を示し、７３は給湯混合弁６ｂの弁体の位置（ポテンショ）を示し、７４は給湯温度センサ７ｂにより検出される給湯温度を示す。また、αは給湯混合弁６ｂの弁体の位置に加算されるオフセット量である。
【００２７】
図５に示すように、給湯が開始されると、給湯混合弁６ｂが開かれ、給湯用フローセンサ１１はその水流を検出し、給湯温度センサ７ｂは給湯温度を検出する。ここで、お湯はり電磁弁９が開かれお湯はりが開始されると、給湯混合弁６ｂの弁体の位置はオフセット量αだけずれた位置に設定される。お湯はり電磁弁９が閉じお湯はりが終了すると、給湯混合弁６ｂの弁体の位置はお湯はり開始時の弁体の位置に戻る。
【００２８】
以上のように、本実施の形態１における電気温水器１は構成されているので、お湯はり開始・終了判定手段６０により給湯中にお湯はりが開始されたことを判定し、給湯混合弁位置判定手段５３によりお湯はりの開始時の給湯混合弁６ｂの湯の流入側と水の流入側の各々の弁体の位置を判定し、お湯はり開始・終了判定手段６０により給湯中にお湯はりが終了したことを判定した場合に、給湯混合弁６ｂの弁体の位置をお湯はりの開始時の弁体の位置に戻すことができるので、給湯中のお湯はりの終了による給湯温度の急激な変動を緩和しその変動を緩やかにすることができるという作用を有する。
【００２９】
また、お湯はり温度設定判定手段５８により判定されたお湯はり温度設定が高温差し湯である場合に、給湯温度設定判定手段５２により判定された給湯温度設定に基づいて給湯混合弁６ｂの弁体の位置を設定されたオフセット量変動させ、設定されたオフセット量を基準として弁体の位置のフィードバック制御を行うことができるので、給湯中のお湯はりの開始による給湯温度の急激な変動を緩和しその変動を緩やかにすることができるという作用を有する。
【００３０】
【発明の効果】
以上説明したように本発明の電気温水器によれば、以下のような有利な効果が得られる。
【００３１】
請求項１に記載の発明によれば、
（１）お湯はり開始・終了判定手段により給湯中にお湯はりが開始されたことを判定し、給湯混合弁位置判定手段によりお湯はりの開始時の給湯混合弁の湯の流入側と水の流入側の各々の弁体の位置を判定しメモリに記憶し、お湯はり開始・終了判定手段により給湯中にお湯はりが終了したことを判定した場合に、給湯混合弁の弁体の位置をメモリに記憶したお湯はりの開始時の弁体の位置に戻すことができるので、給湯中のお湯はりの終了による給湯温度の急激な変動を緩和しその変動を緩やかにすることができる電気温水器を提供することができる。
【００３２】
請求項２に記載の発明によれば、請求項１の効果に加え、
（１）お湯はり電磁弁動作判定手段によるお湯はり電磁弁の開閉の判定に基づいて、お湯はり開始・終了判定手段によりお湯はりの開始又は終了を判定することができる電気温水器を提供することができる。
【００３３】
請求項３に記載の発明によれば、請求項１又は２の効果に加え、
（１）給湯中のお湯はりの開始時において、お湯はり温度設定判定手段により判定されたお湯はり温度設定が高温差し湯である場合に、給湯温度設定判定手段により判定された給湯温度設定に基づいて給湯混合弁の弁体の位置を設定されたオフセット量変動させフィードバック制御を行うことができるので、給湯中のお湯はりの開始による給湯温度の急激な変動を緩和しその変動を緩やかにすることができる電気温水器を提供することができる。
【図面の簡単な説明】
【図１】従来及び実施の形態１における電気温水器を示す構成図
【図２】（ａ）実施の形態１における電気温水器のブロック図
（ｂ）中央処理装置を示すブロック図
【図３】実施の形態１における電気温水器の給湯時の動作を示すフローチャート
【図４】給湯温度設定と給湯混合弁の弁体の位置との関係を示す関係図
【図５】実施の形態１における電気温水器の動作を示すタイミングチャート
【符号の説明】
１、１ａ  電気温水器
２  貯湯タンク
３ａ、３ｂ  ヒータ
４  缶体温度センサ
５  逃し弁
５ａ  空気抜き弁
６ａ  お湯はり混合弁
６ｂ  給湯混合弁
７ａ  ふろ温度センサ
７ｂ  給湯温度センサ
８  ふろ配管口
９  お湯はり電磁弁
１０  ふろ流量センサ
１１  給湯用フローセンサ
１２  給湯口
１３  給水口
１４  減圧弁
１６  排水栓
２１  制御装置部
２２  給湯用設定部
２３  浴室用設定部
３１  マイコン
３２  中央処理装置
３３  メモリ
３４  入力回路
３５  出力回路
３６  Ａ／Ｄ変換器
３７、３８、３９、４０  駆動回路
５１  給湯温度判定手段
５２  給湯温度設定判定手段
５３  給湯混合弁位置判定手段
５４  給湯混合弁動作手段
５５  お湯はり電磁弁動作手段
５６  お湯はり電磁弁動作判定手段
５７  お湯はり温度判定手段
５８  お湯はり温度設定判定手段
５９  お湯はり混合弁動作手段
６０  お湯はり開始・終了判定手段
Ｘ  浴槽
Ｙ  浴槽アダプタ
Ｚ  蛇口
【図１】
0003893073.tif 000002
【図２】
0003893073.tif 000003
【図３】
0003893073.tif 000004
【図４】
0003893073.tif 000005
【図５】
0003893073.tif 000006